(57)【要約】【課題】  洗面化粧台が設置された洗面室と浴槽が設置された浴室との間において浴槽に浸かってリラックスできるような構成的配慮が積極的になされたサニタリールーム。【解決手段】  洗面ボール（２ａ）の上方にミラー（３）が設けられた洗面化粧台（１）と、洗面化粧台に対して所定の位置関係に設置された浴槽（１１）とを備えたサニタリールーム。ミラーの上端近傍の高さ位置に設けられた第１照明部（４）と、ミラーの上方に設けられた演出用の第２照明部（５）とを備えている。浴槽から少なくとも第２照明部が見えるように、浴槽と洗面化粧台との間の浴室ドア（２１）の一部には、透明または半透明の領域（２１ａ）が設けられている。【選択図】  図１
2006009511.tif 000002
【特許請求の範囲】
【請求項１】
洗面ボールの上方にミラーが設けられた洗面化粧台と、該洗面化粧台に対して所定の位置関係に設置された浴槽とを備えたサニタリールームにおいて、
前記ミラーの上端近傍の高さ位置に設けられた第１照明部と、
前記ミラーの上方に設けられた演出用の第２照明部とを備え、
前記浴槽から少なくとも前記第２照明部が見えるように、前記浴槽と前記洗面化粧台との間の浴室ドアまたは隔壁の一部には、透明または半透明の領域が設けられていることを特徴とするサニタリールーム。
【請求項２】
前記第２照明部は、壁面または天井を介して間接照明するように構成されていることを特徴とする請求項１に記載のサニタリールーム。
【請求項３】
前記ミラーの下端近傍の高さ位置に設けられた第３照明部をさらに備えていることを特徴とする請求項１または２に記載のサニタリールーム。
【発明の詳細な説明】
【技術分野】
【０００１】
本発明は、サニタリールームに関し、特にサニタリールームにおける照明に関するものである。
【背景技術】
【０００２】
洗面化粧台が設置された洗面室と浴槽が設置された浴室とからなる空間は、「サニタリールーム」と呼ばれている。従来、サニタリールームにおいて、浴室の内部では、浴槽に浸かってリラックスできるような構成的配慮がなされている。
【発明の開示】
【発明が解決しようとする課題】
【０００３】
しかしながら、従来技術では、洗面化粧台が設置された洗面室と浴槽が設置された浴室との間において、浴槽に浸かってリラックスできるような構成的配慮が積極的になされていなかった。
【０００４】
本発明は、前述の課題に鑑みてなされたものであり、洗面化粧台が設置された洗面室と浴槽が設置された浴室との間において浴槽に浸かってリラックスできるような構成的配慮が積極的になされたサニタリールームを提供することを目的とする。
【課題を解決するための手段】
【０００５】
前記課題を解決するために、本発明では、洗面ボールの上方にミラーが設けられた洗面化粧台と、該洗面化粧台に対して所定の位置関係に設置された浴槽とを備えたサニタリールームにおいて、
前記ミラーの上端近傍の高さ位置に設けられた第１照明部と、
前記ミラーの上方に設けられた演出用の第２照明部とを備え、
前記浴槽から少なくとも前記第２照明部が見えるように、前記浴槽と前記洗面化粧台との間の浴室ドアまたは隔壁の一部には、透明または半透明の領域が設けられていることを特徴とするサニタリールームを提供する。
【０００６】
本発明の好ましい態様によれば、前記第２照明部は、壁面または天井を介して間接照明するように構成されている。また、前記ミラーの下端近傍の高さ位置に設けられた第３照明部をさらに備えていることが好ましい。
【発明の効果】
【０００７】
本発明のサニタリールームでは、洗面化粧台のミラーの上端近傍の高さ位置に設けられた第１照明部と、ミラーの上方に設けられた演出用の第２照明部とを備えている。そして、浴槽から第２照明部が見えるように、浴槽と洗面化粧台との間の浴室ドアまたは隔壁の一部には、透明または半透明の領域が設けられている。
【０００８】
したがって、本発明では、浴槽に浸かりながら、浴槽と洗面化粧台との間の浴室ドアまたは隔壁の一部の透明または半透明領域を介して、洗面化粧台のミラーの上方に設けられた演出用の第２照明部が見えるのでリラックスすることができる。すなわち、本発明では、洗面化粧台が設置された洗面室と浴槽が設置された浴室との間において浴槽に浸かってリラックスできるような構成的配慮が積極的になされている。
【０００９】
なお、本発明では、演出用の第２照明部が、壁面または天井を介して間接照明するように構成されていることが好ましい。この構成により、第２照明部の演出作用をさらに向上させることができ、浴槽に浸かってさらにリラックスすることができる。
【００１０】
また、本発明では、ミラーの下端近傍の高さ位置に設けられた第３照明部をさらに備えていることが好ましい。この構成により、ミラーに正対した人の顔を下からも照らすことができ、顔に陰が形成されることなく、的確な顔の化粧をすることが可能になる。また、第３照明部からの照明を手元照明として有効に利用し、コンタクトの装用やマニキュアの塗布や髭剃りなども的確に行うことができる。
【発明を実施するための最良の形態】
【００１１】
本発明の実施形態を、添付図面に基づいて説明する。
図１は、本発明の実施形態にかかるサニタリールームの構成を概略的に示す斜視図である。また、図２は、浴槽から洗面化粧台の演出用の間接照明が見える様子を示す図である。また、図３は、本実施形態のサニタリールームの平面図である。また、図４は、図３の線Ａ−Ａに沿った断面図である。また、図５は、浴室ドアとしての引き違い戸の構成を概略的に示す図である。
【００１２】
図１〜図５を参照すると、本実施形態のサニタリールームは、洗面化粧台１が設置された洗面室Ｒ１と浴槽１１が設置された浴室Ｒ２とにより構成されている。洗面化粧台１は、洗面ボール２ａおよびその両側に配置されたカウンター２ｂ，２ｃを有するカウンターユニット２と、洗面ボール２ａの上方に設けられた洗面ミラー３と、洗面ミラー３の上端近傍の高さ位置に設けられた通常の上側照明部（第１照明部）４とを備えている。
【００１３】
また、洗面化粧台１は、本実施形態の特徴的構成として、洗面ミラー３の上方に設けられた演出用の照明部（第２照明部）５と、洗面ミラー３の下端近傍の高さ位置に設けられた下側照明部（第３照明部）６とを備えている。演出用照明部５は、図４に明瞭に示されているように、洗面室Ｒ１の壁面Ｗ１を介して間接照明するように構成されている。演出用照明部５は、たとえば多数のＬＥＤを用いて青色や紫色などの演出光を供給する。
【００１４】
一方、浴室Ｒ２の内部には、浴槽１１に隣接して、下センターカバー１２、水栓カバー１３および上センターカバー１４が鉛直方向に細長く設けられている。また、水栓カバー１３に隣接して横方向に延びるカウンター１５が設けられ、カウンター１５の上側には浴室ミラー１６が設けられ、カウンター１５の下方には洗面具置きカウンター１７が設けられている。
【００１５】
ここで、下センターカバー１２は水栓機構に接続されて下方へ延びる給水配管を覆い、上センターカバー１４は水栓機構に接続されて上方へ延びるシャワー配管を覆い、カウンター１５は水栓機構に接続されて横方向に延びる吐水配管を覆い、水栓カバー１３は水栓機構を覆っている。なお、吐水配管の先端はカウンター１５の下側であって洗面具置きカウンター１７の上方に設けられた吐水ヘッド１５ａに接続され、シャワー配管の先端はフレキシブルホース１８ａを介してシャワーヘッド１８ｂに接続されている。
【００１６】
また、洗面室Ｒ１と浴室Ｒ２との間、ひいては洗面化粧台１と浴槽１１との間には、浴室ドアとしての引き違い方式のサッシ戸２１が設けられている。特に図５に明瞭に示すように、サッシ戸２１の上側部分には、浴槽１１から演出用照明部５が見えるように、透明または半透明の領域２１ａが設けられている。一方、サッシ戸２１の下側部分には、浴槽１１に浸かっている人が外部から見えないように、且つ乱雑になりがちな洗面化粧台の下側部分が浴槽１１から見えないように、不透明領域２１ｂが設けられている。
【００１７】
以上のように、本実施形態のサニタリールーム（Ｒ１，Ｒ２）では、洗面ミラー３の上方に演出用照明部５が設けられ、浴槽１１から上側照明部４および演出用照明部５が見えるように、浴槽１１と洗面化粧台１との間の浴室ドア２１の一部には透明または半透明領域２１ａが設けられている。したがって、浴槽１１に浸かりながら、浴室ドア２１の透明または半透明領域２１ａを介して、演出用照明部５が見えるのでリラックスすることができる。
【００１８】
すなわち、本実施形態では、洗面化粧台１が設置された洗面室Ｒ１と浴槽１１が設置された浴室Ｒ２との間において浴槽１１に浸かってリラックスできるような構成的配慮が積極的になされている。また、本実施形態では、演出用照明部５が、洗面室Ｒ１の壁面Ｗ１を介して間接照明するように構成されているので、照明部５の演出作用をさらに向上させることができ、浴槽１１に浸かってさらにリラックスすることができる。
【００１９】
また、本実施形態では、洗面ミラー３の下端近傍の高さ位置に設けられた下側照明部６を備えているので、洗面ミラー３に正対した人の顔を下からも照らすことができ、顔に陰が形成されることなく、的確な顔の化粧をすることが可能になる。また、下側照明部６からの照明を手元照明として有効に利用し、コンタクトの装用やマニキュアの塗布や髭剃りなども的確に行うことができる。
【００２０】
なお、上述の実施形態では、演出用照明部５が洗面室Ｒ１の壁面Ｗ１を介して間接照明するように構成されているが、これに限定されることなく、図６に示すように、演出用照明部５が洗面室Ｒ１の天井Ｃ１を介して間接照明するように構成されていてもよい。
【００２１】
また、上述の実施形態では、浴槽１１に浸かりながら演出用照明部５が見えるように、浴室ドア２１の一部に透明または半透明領域２１ａを設けている。しかしながら、これに限定されることなく、浴槽１１から演出用照明部５が見えるように、浴槽１１と洗面化粧台１との間の隔壁の一部に、透明または半透明の領域を設けることもできる。
【図面の簡単な説明】
【００２２】
【図１】本発明の実施形態にかかるサニタリールームの構成を概略的に示す斜視図である。
【図２】浴槽から洗面化粧台の演出用の間接照明が見える様子を示す図である。
【図３】本実施形態のサニタリールームの平面図である。
【図４】図３の線Ａ−Ａに沿った断面図である。
【図５】浴室ドアとしての引き違い戸の構成を概略的に示す図である。
【図６】洗面化粧台の演出用照明部の変形例を示す図である。
【符号の説明】
【００２３】
Ｒ１  洗面室
Ｒ２  浴室
１  洗面化粧台
２  カウンターユニット
３  洗面ミラー
４  上側照明部
５  演出用照明部
６  下側照明部
１１  浴槽
１２  下センターカバー
１３  水栓カバー
１４  上センターカバー
１５  カウンター
１６  浴室ミラー
１７  洗面具置きカウンター
２１  浴室ドア
【図１】
2006009511.tif 000003
【図２】
2006009511.tif 000004
【図３】
2006009511.tif 000005
【図４】
2006009511.tif 000006
【図５】
2006009511.tif 000007
【図６】
2006009511.tif 000008